(57)【特許請求の範囲】
【請求項１】
検知波によって侵入者を検知する防犯用センサ装置であって、
検知波を投光もしくは受光する光学ユニットが、その両側部において装置本体の支持アームに、水平軸心回りに回動自在に支持され、
前記光学ユニットは、出射ミラーもしくは集光ミラーが形成されたミラーケースを有し、
前記支持アームに、前記光学ユニットの側方に位置して手動操作で回動される駆動歯車が回動自在に支持され、
前記光学ユニットの側部に、前記駆動歯車に噛合されて駆動され、前記水平軸心回りに光学ユニットと一体的に回動する従動歯車が設けられ、
前記駆動歯車は外歯歯車であり、前記従動歯車は内歯歯車であり、
前記光学ユニットの側部にストッパ片が突設され、
前記支持アームに、前記ストッパ片を前記光学ユニットの側方に露出させた状態で前記ストッパ片に係合して前記光学ユニットの回動範囲を規制する係合溝が形成され、
前記従動歯車が前記ミラーケースに一体形成されている防犯用センサ装置。
【発明の詳細な説明】
【０００１】
【発明の属する技術分野】
本発明は、検知波としての例えば赤外線ビームを不法侵入者が遮断することによって不法侵入者を検知する防犯システムを構成する防犯用センサ装置に関するものである。
【０００２】
【従来の技術】
この種の防犯システムは、直線的な警戒区域の両端部に、防犯用センサ装置である投光装置と受光装置とが、これらの光軸を一致させた配置で設置された構成、または、投光器と受光器の両方を備えた防犯用センサ装置である投・受光装置の一対が、これらの光軸を警戒区域に向けた配置で設置された構成を有しており、直線的な近距離から数百ｍの長距離までの警戒区域を設定できるものであり、設置に際して、投光器と受光器間での光軸を正確に一致させる必要がある。そこで、投光器および受光器には、光軸を正確に設定するために、水平角および上下角を微調整できる機構が設けられている。
【０００３】
従来の前記微調整機構としては、図５（ａ）に示すように、光学ユッニト５０を、支持アーム５１の一対のアーム部５２間に支軸５３回りに回動自在に設けるとともに、図５（ｂ）に示すように、支軸５３に巻装して両端部をアーム部５２と光学ユニット５０とに係止したばね５４により、光学ユニット５０を一方向Ｐに回動付勢し、支持アーム５１に設けた支持片５７の雌ねじ部に螺合して貫通させた調整ねじ５８の先端部を、光学ユニット５０から下方に突設された作動片５９に当接させた構造のものが知られている。この微調整機構は、光学ユニット５０の上下角を微調整するものであって、調整ねじ５８を回して、この調整ねじ５８の支持片５７から支持アーム５１内への進入長さを、二点鎖線位置から一点鎖線位置の範囲内で可変することにより、ばね５４の回動付勢力を受けて調整ねじ５８の先端に常に押し付けられている当接片５９が、調整ねじ５８の軸方向変位に追従して移動することにより、光学ユニット５０を回動させるようになっている。
【０００４】
前記調整ねじ５８による上下角の調整は、照準器ののぞき窓を覗きながら目視により光軸を合わせるように操作して行われる。また、水平角の調整は、装置本体に回動自在に設けられる支持アーム５１を手で持って左右に回すことによって行われるものが多い。なお、前記光学ユニット５０は、投光器の場合、投光素子と、この投光素子から発生した赤外線を反射して一定方向に向かう赤外線ビームとして出射する反射ミラーまたはレンズとにより構成されており、受光器の場合、受光素子と、反射ミラーまたは集光レンズとにより構成されている。
【０００５】
【発明が解決しようとする課題】
しかしながら、前記微調整機構は、上下角の調整範囲を、例えば基準位置に対し±４５°のように大きく設定しようとすると、その回動範囲に応じた長い調整ねじを用いる必要があり、装置の奥行き寸法が大きくなって外形が不必要に大型化してしまい、しかも、調整ねじの回動操作に時間がかかって調整作業が長くなる。
【０００６】
また、調整ねじ５８は、光学ユニット５０の光路が設定される手前側（図５（ｂ）の左側）からドライバで操作する配置になっているため、照準器ののぞき窓を覗きながら光軸合わせを行う場合に、ドライバを操作する手によって赤外線ビームや目視照準の視野が遮られ易く、光学系の向いている方向が判別できなかったり、赤外線の入光レベルをモニタしながら最適角度を特定するのが難しくなる。そのため、調整作業者は、ドライバを操作する手が視野や赤外線ビームを遮らないように留意しながら照準器を覗き込むという不自然な姿勢で調整作業を行わなければならず、調整作業に手間取って作業能率の低下を招く。
【０００７】
また、角度調整のための動作方向、つまり調整ねじ５８を回す方向と光学ユニット５０の回動方向とを対応付けるのが困難であるため、調整作業者は調整ねじ５８の回動操作方向を間違い易く、この点からも作業能率の低下を招く。例えば、光学ユニット５０をＰ方向に回動させて上向きにしたい場合、調整ねじ５８を左右のいずれの方向に回動させればよいのか、判断しにくい。特に、近年の投光装置または受光装置には、一対の光学ユニット５０を上下に配置した構成を有するものが多く、その場合、一対の光学ユニット５０が互いに上下反転した姿勢で配置されるので、調整ねじ５８の回動操作方向に対する光学ユニット５０の回動方向が上下の光学ユニット５０で逆となり、調整作業者は調整ねじ５８の回動操作方向を一層間違い易い。
【０００８】
本発明は、前記従来の課題に鑑みてなされたもので、大型化を招くことなく光学ユニットの調整角度を大きく設定でき、照準器を覗きながらの光軸合わせを容易な操作で行うことができ防犯用センサ装置を提供することを目的とするものである。
【０００９】
【課題を解決するための手段】
前記目的を達成するために、本発明に係る防犯用センサ装置は、検知波によって侵入者を検知する防犯用センサ装置であって、検知波を投光もしくは受光する光学ユニットが、その両側部において装置本体の支持アームに、水平軸心回りに回動自在に支持され、前記光学ユニットは、出射ミラーもしくは集光ミラーが形成されたミラーケースを有し、前記支持アームに、前記光学ユニットの側方に位置して手動操作で回動される駆動歯車が回動自在に支持され、前記光学ユニットの側部に、前記駆動歯車に噛合されて駆動され、前記水平軸心回りに前記光学ユニットと一体的に回動する従動歯車が設けられ、前記駆動歯車は外歯歯車であり、前記従動歯車は内歯歯車であり、前記光学ユニットの側部にストッパ片が突設され、前記支持アームに、前記ストッパ片を前記光学ユニットの側方に露出させた状態で前記ストッパ片に係合して前記光学ユニットの回動範囲を規制する係合溝が形成され、前記従動歯車が前記ミラーケースに一体形成されている。
【００１０】
この防犯用センサ装置によれば、駆動歯車を回動させて、この駆動歯車に噛合する従動歯車によって光学ユニットを回動させるので、光学ユニットの回動可能範囲を大きく設定しても、両歯車からなる駆動機構が大きくならない。また、光学ユニットを手動操作によって回動させるための駆動歯車は、光学ユニットの側方に配置されているので、駆動歯車を操作する手が光ビームや視野を遮ることがないから、例えば照準器を覗きながらの光軸合わせを自然な姿勢で操作して容易に行うことができる。さらに、光学ユニットの角度は、駆動歯車を回動させることで可変できるから、ドライバで調整ねじを回動させる操作などに比較して、格段に容易な操作で調整することができる。また、互いに噛合する駆動歯車と従動歯車とが共に同一方向に回動するので、駆動歯車を回動操作する方向と光学ユニットの回動方向が同一となり、調整作業者は光学ユニットの角度を間違った方向に回動させる誤操作をするおそれがないから、光学ユニットの角度調整作業を能率的に短時間で行うことができる。さらに、調整作業者は、外部に露出しているストッパ片の係合溝内における位置を視認することによって、光学ユニットの角度の概略を一目瞭然に知ることができる。
【００１３】
【発明の実施の形態】
以下、本発明の好ましい実施形態について図面を参照しながら説明する。
図１は本発明の第１実施形態に係る防犯用センサ装置である投光装置を示す斜視図である。この投光装置は、長手方向を上下方向に沿わせて壁などの取付面に取り付けられる取付用ベース１と、この取付用ベース１にこれの複数の取付孔２を介して着脱自在に取り付けられてセンサ回路を覆うカバー３とにより、本体ケースが構成されている。
【００１４】
取付用ベース１の中央部には、装置本体である端子台ケース４が設けられ、この端子台ケース４に端子５が設けられると共に、内部に、投光信号を生成するための回路などの電子回路が収納されている。この端子台ケース４の上下部には、一対の投光器７が、互いに上下反転した配置で、図示しない鉛直軸回り（図のｈ方向）に回動自在に設けられている。この両投光器７は、外端周面にローレットが形成された水平角調整ダイヤル８を左右方向へ回動操作することによって、水平角（図のｈ方向の角度）が調整される。
【００１５】
図２は、前記投光器７を示す分解斜視図である。この投光器７は、基板部１７の両端部から直交方向に一対の板状のアーム部１０が延びたほぼＵ字形状となった支持アーム９と、アーム部１０に支持された一対の上下角調整ダイヤル１３と、例えば赤外線ビームからなる検知波を投光する光学ユニット１４とを備えている。アーム部１０の内面には、水平方向に延びる支軸１１が突設されており、この支軸１１に上下角調整ダイヤル１３の取付孔１２が嵌入されて、上下角調整ダイヤル１３がアーム部１０に、支軸１１の回りに回動自在に支持されている。
【００１６】
前記支持アーム９は、前記基板部１７の下面に、ボス部１８が設けられており、基板部１７およびボス部１８を貫通して、端子台ケース４の鉛直な支軸（図示せず）が嵌め入れられる取付孔１９が形成されている。両側のアーム部１０の上端縁部内面には、支軸１１に回動自在に取り付けられる上下角調整ダイヤル１３が入り込む半円状の凹所２０が形成されているとともに、この凹所２０の側壁には、ほぼ半円状の透孔２１が形成されている。これにより、支軸１１が一体形成された小さな円形の支軸支持部２２は、薄肉で細長い支持小片２３の中央部に支持されている。また、両アーム部１０には、凹所２０の下方箇所に、光学ユニット１４の両側部から突設された支軸２４が回動自在に嵌入される支持孔２７が設けられ、さらに、その支持孔２７の下方箇所に、支持孔２７を中心とする弧状の係合溝２８が形成されている。前記支軸２４は光学ユニット１４の回動中心となる。
【００１７】
前記上下角調整ダイヤル１３には、その内面における中心部分に外歯歯車からなる比較的小径の駆動歯車２９が突設されているとともに、外周面に、指の引っ掛かりを良くするためのローレット３０が形成されている。
【００１８】
前記光学ユニット１４は、ミラーケース３２の底面に、放物面形状の反射面を有する出射ミラー３１が形成されており、出射ミラー３１は、その前方に支持された投光素子１５から発生した赤外線を反射して一定方向に向かう赤外線ビームとして出射する。また、ミラーケース３２内部の上下方向の中央部よりも若干下方には照準器３３が設けられている。この照準器３３は、前側面に左右一対の接眼窓（のぞき窓）３４と左右一対の対物窓（照準窓）３７とを有しており、内部には、接眼窓３４と対物窓３７との間に光軸を形成するための照準ミラー（図示せず）が設けられている。
【００１９】
また、前記光学ユニット１４には、ミラーケース３２の両側の外面に、支軸２４を中心とするほぼ半円状であって、外周縁部に周壁３８ａを持つ受動部３８が一体形成されており、この受動部３８の周壁３８ａの内面に、内歯歯車からなる従動歯車３９が形成されている。図３に示すように、一対の上下角調整ダイヤル１３をアーム部１０の支軸１１に回動自在に取り付けるとともに、光学ユニット１４の支軸２４をアーム部１０の支持孔２７に回動自在に支持させて光学ユニット１４を取り付けたときには、上下角調整ダイヤル１３の駆動歯車２９が光学ユニット１４の従動歯車３９に噛合するとともに、光学ユニット１４の両側部にそれぞれ突設されたピン状のストッパ片４０が、支持アーム９の両アーム部１０の係合溝２８に挿通されて側方に露出する。
【００２０】
したがって、上下角調整ダイヤル１３を手動操作で回動させれば、駆動歯車２９と従動歯車３９の噛合によって、従動歯車３９と一体の光学ユニット１４を水平な支軸２４回り（図１のｖ方向回り）に回動させて、上下角（図１のｖ方向の角度）を可変調整することができる。このとき、係合溝２８は、両端にストッパ片４０が当接、つまり係合した時点で光学ユニット１４の回動を阻止して、光学ユニット１４の回動範囲を規制する。
【００２１】
なお、図１の水平角調整ダイヤル８の回動によって支持アーム９を回動させる機構は、上下角調整ダイヤル１３によって光学ユニット１４を回動させるための上述した機構と同様に、水平角調整ダイヤル８に中心に設けた駆動歯車を、支持アーム９のボス部１８（図２）の外周部の内径面に設けた従動歯車に噛合した構成になっている。
【００２２】
前記実施形態では、防犯用センサ装置として、防犯システムのの投光装置を例示して説明したが、防犯システムの受光装置も、図１の投光装置とほぼ同様の構成になっており、異なるのは、光学ユニットが、出射ミラー３１に代えて集光ミラーが用いられ、投光素子に代えてフォトトランジスタなどの受光素子が用いられ、集光ミラーの焦点位置に受光素子が配置されて、投光装置から出射された赤外線ビームを集光ミラーで反射して受光素子に集光するようになった構成のみである。この投光装置と受光装置は、直線的な警戒区域の両端部の壁面またはポールに取り付けられて、各々の光軸を一致させて相対向する配置で設置されることにより、投，受光型の防犯センサを構成する。
【００２３】
この防犯用センサ装置では、設置時やメンテナンス時に光軸の微調整を行う場合、先ず、図１の投光装置における取付用ベース１に着脱自在となったカバー３を開放して、照準器３３の何れか一方の接眼窓３４を覗きながら水平角調整ダイヤル８または上下角調整ダイヤル１３を回動操作して、光学ユニット１４の水平角または上下角を可変しながら、照準器３３内の照準ミラーに映る受光装置の受光器の像が対物窓３７の中央に入るように調整操作することにより、光軸の調整を行う。
【００２４】
この投光装置では、上述の光軸の調整作業を効率的に行って短時間で終了することが可能となる。すなわち、第１に、水平角調整ダイヤル８は光学ユニット１４の下方に配置され、且つ上下角調整ダイヤル１３は光学ユニット１４の側方に配設されているので、前記光軸の調整時には、作業者の操作する手が光学ユニット１４の前方に来て光ビームや視野を遮ることがないから、照準器３３の接眼窓３４を覗きながらの光軸合わせを自然な姿勢で操作して、容易に行うことができる。
【００２５】
第２に、光学ユニット１４の水平角および上下角の可変は、何れも調整ダイヤル８，１３の回動操作で行うので、従来装置のようにドライバで調整ねじを回動させる操作に比較して、操作が格段に容易であるから、迅速に操作することができる。
【００２６】
第３に、互いに噛合する駆動歯車２９と従動歯車３９とが共に同一方向に回動するので、調整ダイヤル８，１３を回動操作する方向と光学ユニット１４の回動方向とは、一対の投光器７が上下反転した配置であるにも拘わらず、上下いずれの投光器７においても同一となるから、調整作業者は光学ユニット１４の角度を間違った方向に回動させる誤操作を行うおそれがない。また、調整作業者は、外部に露出しているストッパ片４０の係合溝２８に対する位置を視認することによっても、可変調整中の光学ユニット１４の上下角の概略の大きさを一目瞭然に知ることができる。これにより、調整作業者は、光学ユニット１４の角度調整作業を能率的に行うことができる。
【００２７】
上述の投光装置による光軸の微調整が終了したならば、受光装置についても上述と同様の操作によって光軸の微調整を行う。この受光装置の光軸の微調整を行う場合にも、投光装置の上述した効果と同様の効果を得ることができる。
【００２８】
前記投光装置は、特に、図２の上下角調整ダイヤル１３の手動操作で外歯２９を回動させて、この駆動歯車２９に噛合する従動歯車３９によって光学ユニット１４の上下角を可変調整できる構成になっているので、投光器７の形状は両歯車２９，３９の各々の径によって決定されるから、光学ユニット１４の回動可能範囲を例えば９０°程度に大きく設定した場合であっても、両歯車２９，３９からなる駆動機構の外形が大きくならない利点がある。
【００２９】
図４は本発明の第２実施形態に係る防犯用センサ装置である投光装置または受光装置の要部を示す概略図であり、同図において、図３と同一または相当するものには同一の符号を付してある。この防犯用センサ装置では、光学ユニット１４の受動部３８に、内歯歯車からなる従動歯車３９に代えて、外歯歯車からなる従動歯車４１を設けて、駆動歯車２９に噛合させた構成になっており、その他の構成は、第１実施形態の投光装置と同一である。
【００３０】
前記構成では、上下角調整ダイヤル１３の回動方向と光学ユニット１４の回動方向とが逆になるが、これは、上下反転して配置する上下一対の投光器７の双方について同じである。すなわち、上下一対の何れの投光器７においても、上下角調整ダイヤル１３の回動方向とは逆方向に光学ユニット１４が回動する。そのため、調整作業者は、双方の投光器７の各々の光学ユニット１４の上下角を調整する場合に、誤操作するおそれが少なくなる。
【００３１】
なお、前記実施形態で上下一対設けた投光器７の一方を受光器に置換すれば、投・受光装置となり、この投・受光装置を警戒区域の両端に一つずつ配置して、防犯システムが構成される。また、投光器と受光器を一つのケース内に収納して反射型の防犯用センサ装置とすることもできる。つまり、本発明は、投・受光型および反射型の双方の防犯用センサ装置を対象とするものである。
【００３２】
【発明の効果】
以上のように、本発明の防犯用センサ装置によれば、駆動歯車を回動させて、この駆動歯車に噛合する従動歯車によって光学ユニットを回動させるので、光学ユニットの回動可能範囲を大きく設定しても、両歯車からなる駆動機構が大きくならない。また、光学ユニットを手動操作によって回動させるための従動歯車は、光学ユニットの側方に配置されているので、駆動歯車を操作する手が光ビームや視野を遮ることがないから、例えば照準器を覗きながらの光軸合わせを、自然な姿勢で操作して容易に行うことができる。さらに、光学ユニットの角度は、駆動歯車を回動させることで可変できるから、ドライバで調整ねじを回動させる操作などに比較して、格段に容易な操作で調整することができる。
【図面の簡単な説明】
【図１】本発明の第１実施形態に係る防犯用センサである投光装置を示す斜視図である。
【図２】同上の投光装置の投光器を示す分解斜視図である。
【図３】同上の投光装置における光学ユニットと上下角調整ダイヤルとの位置関係を示す要部の破断右側面である。
【図４】本発明の第２実施形態に係る投光装置の要部を示す概略側面図である。
【図５】（ａ）は従来の防犯用センサ装置の要部を示す正面図、（ｂ）は同装置の右側面図である。
【符号の説明】
４…端子台ケース（装置本体）、９…支持アーム、１１…支軸（水平軸）、１４…光学ユニット、２４…支軸（水平軸）、２８…係合溝、２９…駆動歯車、３９，４１…従動歯車、４０…ストッパ片。
【図１】
0003896406.tif 000002
【図２】
0003896406.tif 000003
【図３】
0003896406.tif 000004
【図４】
0003896406.tif 000005
【図５】
0003896406.tif 000006